(57)【特許請求の範囲】
【請求項１】
複数の図柄が変動表示される可変表示装置と、前記可変表示装置の図柄表示を変動させるスタートスイッチと、前記可変表示装置の変動図柄を任意のタイミングで停止させる複数のストップスイッチとが設けられ、前記可変表示装置の所定図柄の組合わせにより遊技者に有利な状態となるスロット式遊技機において、
前記スタートスイッチ及び前記複数のストップスイッチの近傍に平面コ字形のパイプレールと、該パイプレールに摺動自在に嵌合されたスライダーとを設け、
前記スタートスイッチは前記スライダーを一方端側へ移動させると該スライダーが該スタートスイッチを押圧する位置に設けられていて、
他方、前記複数のストップスイッチは、前記スライダーに手を載置した状態で該スライダーを移動させると該ストップスイッチが指で押圧可能な位置に設けられていることを特徴とするスロット式遊技機。
【発明の詳細な説明】
【０００１】
【発明の属する技術分野】
本発明は、遊技媒体としてパチンコ球が使用されるスロット式遊技機に関するものである。
【０００２】
【従来の技術】
従来遊技媒体としてパチンコ球が使用される遊技機としてパチンコ球を盤面に発射して遊技するパチンコ遊技機があるが、近年コインを使用して複数のドラムを任意で順次止めるいわゆるスロットマシンが人気を博し、パチンコ遊技機の替わりにスロットマシンを導入するところが増え遊技店内のパチンコ遊技機の設置台数が減少する傾向にある。
【０００３】
ところが、パチンコ遊技機に比べてスロットマシンの方が大型であるため、パチンコ遊技機が１０台入るところがスロットマシンだと７台しか入らず、しかも単価が高くさらに新たにコインを使用するための別途設備が必要となり、余分な投資が必要であった。
【０００４】
そこでコインを使用する替わりにパチンコ球を使用したスロット式遊技機が提案されている（例えば、特許文献１参照。）。
【０００５】
【特許文献１】
特開昭６２−２４６３９０号公報
【０００６】
【発明が解決しようとする課題】
しかしながら、上記公報のパチンコ球を使用するスロット式遊技機にあっては、コインの替わりにパチンコ球を用いるようにしただけのものであり、同じ遊技場内においてパチンコ遊技機と共通のパチンコ球を使用できるので、パチンコ遊技店内のパチンコ球補給装置及び計数装置並びに中央管理装置をそのまま使用することができるものの、パチンコ遊技機とは全く形状が異なりなかなか共有化を図るのが難しい構造となっている。
【０００７】
そこで、本発明は上記課題を解決すべくなされたもので、その目的とするところは、従来のパチンコ遊技機をベースとして僅かな設計変更でパチンコ球を使用するスロット式遊技機とすることにある。
【０００８】
【課題を解決するための手段】
上記目的を達成するために、請求項１記載の発明は、パチンコ球を遊技媒体として供給する球供給皿が着脱自在に装着され、可変表示装置に所定図柄が組合せられることにより球払出装置からパチンコ球が前記球供給皿に払出されるパチンコ遊技機を改造したものであって、前記球供給皿と互換性を有する改造用球供給皿を前記球供給皿に替えて装着し、前記改造用球供給皿には、所定数のパチンコ球を単位賭数として回収する球回収機構と、球回収されたことを条件として前記可変表示装置の表示を変動させる始動操作部と、前記可変表示装置の表示を停止させる停止操作部とが備えられ、前記始動操作部の操作により変動した可変表示装置の図柄が前記停止操作部の任意の停止操作により所定図柄の組合せに停止されることで前記球払出装置からパチンコ球が前記改造用球供給皿に払出されるようにしたことを特徴とする。なお、ここでいう改造用球供給皿とはスロット式遊技機用の球供給皿を意味する。また、単位賭数とは遊技可能となる最低限の球数を１単位としたもので、パチンコ球１個から任意に選定できるものである。
【０００９】
請求項２記載の発明は、請求項１記載の発明において、前記球回収機構は、単位賭数を設定する賭数設定操作部と、前記賭数設定操作部で設定された所定数のパチンコ球を排出する球切装置と、前記球切装置から排出されたパチンコ球を計数する球数確認センサとで構成されることを特徴とする。
【００１０】
また、盤面の入賞口または可変表示装置が視認可能な扉枠の下方にパチンコ球を遊技媒体として供給する球供給皿が着脱自在に装着され、前記入賞口への入賞または前記可変表示装置の所定図柄の組合せによりパチンコ球が賞球として球払出装置から払出される遊技機であって、前記球供給皿は、打撃装置にパチンコ球を１個ずつ供給する第一供給皿と、前記第一供給皿と互換性を有し、前記可変表示装置の図柄表示を変動させる始動操作部と、前記可変表示装置の変動図柄を停止させる停止操作部とを設け、所定数のパチンコ球を賭け数として回収するようにした第二供給皿のいずれかであり、前記第一供給皿を装着した状態では盤面に発射したパチンコ球の入賞条件により前記可変表示装置の表示を変動および停止させるパチンコ遊技機とし、前記第二供給皿を装着した状態では賭け数の回収を条件として前記可変表示装置の表示を任意で変動および停止させるスロット式遊技機に変更可能となるようにした。
【００１１】
前記パチンコ遊技機用の球供給皿にパチンコ球を１個ずつ供給する球送り装置と、前記球送り装置から供給されたパチンコ球を待機部に一時停止させる発射レールと、前記待機部のパチンコ球を盤面に打ち込む打撃装置とを組付けるのが好ましい。
【００１２】
また、前記球供給皿は、少なくともパチンコ球を貯留する皿部材とその前面を覆うカバー部材とから構成され、パチンコ遊技機用の球供給皿とスロット式遊技機用の球供給皿とは皿部材を共有し、カバー部材を交換することでパチンコ遊技機の球供給皿をスロット式遊技機用の球供給皿に変更するのが好ましく、スロット式遊技機用のカバー部材にスロット式遊技機用の始動操作部等の操作部および表示器等の機能部を設けるのがよい。
【００１３】
スロット式遊技機として前記パチンコ遊技機で使用した遊技盤をそのまま使用し、スロット式遊技機として使用する部分（可変表示装置，飾りレンズ等）が視認可能であり、スロット式遊技機として使用しない部分（例えばガイドレール，入賞口等）を隠蔽部により隠蔽する飾り板を装着するのが好ましい。また、隠蔽部には遊技に関連する図柄および大当り図柄等の説明を描くようにしてもよい。前記飾り板は可変表示装置を視認可能とするガラス扉枠のガラス間に内装するようにしたり、ガラスに貼着したりガラスと交換して遊技盤の前面側に位置して装着するようにすればよい。
【００１４】
また、遊技盤には入賞口および可変表示装置が設けられ、着脱自在に装着された球供給皿から発射レールに送り込まれたパチンコ球を打撃装置により遊技盤面に発射するパチンコ遊技機を、前記球受皿に替えて少なくとも前記可変表示装置の図柄表示を変動させる始動操作部と前記変動表示を停止させる停止操作部を備えた球供給皿とすることにより、賭け数としたパチンコ球を盤面に発射して回収すると共に前記可変表示装置の図柄表示を任意で変動および停止するスロット式遊技機としてもよい。
【００１５】
前記始動操作部等を操作性を向上させる補助手段を設けるのが好ましく、例えばレール部に摺動自在にスライダー設けて、該スライダー自体で前記始動操作部を操作したり、該スライダーに手を添えて該スライダーを摺動しながら停止操作部を操作するようにして、押圧操作をし易くして疲れ難くするのがよい。
【００１６】
また、前記球供給皿の余剰球を貯留する余剰球受皿を着脱自在に設け、前記余剰球受皿と互換性を有し可変表示装置の図柄変動を開始する始動操作部および図柄変動を停止する停止操作部を設けた改造用余剰球受皿またはパネル板を、前記余剰球受皿と交換することでパチンコ遊技機をスロット式遊技機に変更するようにしてもよく、好ましくは前記改造用余剰球受皿およびパネル板に賭け数を設定する賭数設定操作部を設けるのがよい。このときパチンコ遊技機用の球供給皿を使用し所定数のパチンコ球を単位賭数として回収するようにするのが好ましい。
【００１７】
さらに、前記ガラス扉枠を着脱自在に設け、前記ガラス扉枠と互換性を有し可変表示装置の図柄変動を開始する始動操作部および図柄変動を停止する停止操作部を設けた改造用ガラス扉枠を、前記ガラス扉枠と交換することでパチンコ遊技機をスロット式遊技機に変更するようにしてもよく、好ましくは前記改造用ガラス扉枠に単位賭数を設定する賭数設定操作部を設けるのがよい。
【００１８】
また、パチンコ遊技機の操作ハンドルと互換性を有し所定数のパチンコ球を１単位の賭け数として回収させる賭数設定操作部と、前記可変表示装置の表示を変動させる始動操作部と、前記可変表示装置の表示を停止させる停止操作部とを設けた操作ハンドルを前記パチンコ遊技機の操作ハンドルに替えて装着することにより、賭け数としてのパチンコ球の回収を条件として可変表示装置の図柄表示を任意で変動および停止させるスロット式遊技機とするようにしてもよい。
【００１９】
前記パチンコ遊技機の前板の裏面に、前記球供給皿のパチンコ球を１個ずつ供給する球送り装置と、前記球送り装置から供給されたパチンコ球を発射位置である待機部に一時停止させる発射レールと、前記待機部のパチンコ球を遊技盤面に打ち込む打撃装置等の一連の発射関連機構を一体に組付けて発射ユニットを設けるのが好ましい。さらに、前記発射レールは着脱又は上下方向に揺動自在に設けて、スロット式遊技機への変更時に該発射レールを下傾させて賭数としてのパチンコ球を回収する通路の一部として利用するのがよい。
【００２０】
【発明の実施の形態】
以下遊技機としてのパチンコ遊技機の実施の形態を図面に基づき説明する。図１はパチンコ遊技機の正面図、図２はパチンコ遊技機の裏面図、図３はガラス扉枠および球供給皿を開放して示すパチンコ遊技機の下部部分の斜視図である。図において、１はパチンコ遊技機の機枠、２は機枠１の前面に開閉自在に装着される額縁状に形成された前面枠、３は該前面枠２の後側に遊技盤取付枠４を介して着脱自在に装着される遊技盤である。前記額縁状に形成された前面枠２の前面に遊技盤３の上方部を覆うガラス扉枠５と球供給皿としての第一供給皿６が開閉および着脱自在に装着されており、前記第一供給皿６は開閉板としての前板７に設けられている。そして、前記ガラス扉枠５の施錠装置９が解錠されると前記前板７が開閉できるようになっている。また、前記前面枠２の下部前面には第一供給皿６から溢出した余剰球を貯留する余剰球受皿１１およびパチンコ球の弾発力を調節する操作ハンドル１２が装着されている。
【００２１】
前記操作ハンドル１２は、図１２に示すように前面枠２の前面に固定される握り部１３と、該握り部１３に回動自在に設けられる操作レバー１４とを備える。握り部１３は、前面枠２に固着される後半体１３ａと、該後半体１３ａに固定的に結合される前半体１３ｂとの二部材で構成され、前半体１３ｂ内にボリュームスイッチ１５が組み込まれ、操作レバー１４を回動することによって該ボリュームスイッチ１５がボリューム調整されて打球の発射力が調節される。
【００２２】
前記遊技盤３は、誘導手段としてのガイドレール１６によってほぼ円形の遊技領域３ａを形成し、該遊技領域３ａには一般入賞口１７や始動入賞口１９、該始動入賞口１９への入賞等の所定条件により変動する大型の可変表示装置１８、また前記可変表示装置１８の予め設定された図柄の組合せ（大当り）により開放する大入賞口２０等が設けられている。前記ガイドレール１６の端部には一旦遊技領域３ａに打ち込まれたパチンコ球が戻らないようにする球戻り防止装置１６ａが設けられている。前記大入賞口２０は、取付板に形成した横長の開口に開閉扉２２を前後方向に開閉自在に設け、電気的駆動源（図示せず）により前記開閉扉２２を開閉する周知のものである。また、前記大入賞口２０の下方であり遊技領域３ａの最下部に、上記入賞口１７，１９，２０に入賞しなかったアウト球を流出するアウト口２３が形成され、アウト球は遊技盤取付枠４に形成されたアウト球通路２１を介して機外に排出される。２４は遊技領域３ａに設けられるサイドランプ、２５は遊技領域３ａ外上方に設けられるコーナーレンズであり、該コーナーレンズには賞球数を表示する表示部２６ａおよび大当り時のラウンド数または残ゲームを表示する表示部２６ｂが設けられている。
【００２３】
前記可変表示装置１８は、周面に「７」「ＢＡＲ」等の複数種類の図柄が描かれている３つの回転ドラム２７ａ〜２７ｃと該回転ドラム２７ａ〜２７ｃを駆動および停止する電気的駆動源としてのステッピングモータ２８と、前記各回転ドラム２７ａ〜２７ｃの図柄の所定個数（図上３個）が臨む窓枠部材２９とを備えている。なお、前記回転ドラム２７ａ〜２７ｃに替えてベルト式としてもよく、ベルト式とすることで後方への突出量を小さくすることができる。なお、可変表示装置１８を各ドラム２７ａ〜２７ｃが回転変動するものとしたが、図柄を液晶表示またはデジタル表示により変動させる可変表示装置とてもよい。
【００２４】
前記ガラス扉枠５は前面枠２の幅方向とほぼ同一幅に形成され、窓開口を有した合成樹脂製の飾り枠５ａと複数のガラス等の透明板を保持する保持枠５ｂとで大略構成されている。前記飾り枠５ａの周縁には透光性を有するレンズ部材３０が設けられ、該レンズ部材３０の後面に位置するＬＥＤ等の電飾手段の点灯により「大当り」およびリーチ状態等の遊技状態を表すようにしている。
【００２５】
また、前記遊技盤３の裏面には、合成樹脂により方形状に形成された機構板３１が着脱開閉可能に装着されている。前記機構板３１は、合成樹脂によりほぼ方形状に形成されており、ほぼ中央に前記可変表示装置１８の後部が臨む窓部３２が開設されており、該窓部３２の上方にパチンコ球を貯留する球タンク３３が取付けられる。また、球タンク３３の下方にはパチンコ球を整列して導き出す球誘導樋３４が設けられ、その下流端は、屈曲誘導樋３５を介して所定数のパチンコ球を払出す球払出装置３６が接続されている。
【００２６】
該球払出装置３６の下方には払出されたパチンコ球を前記第一供給皿６に導く排出樋３７が設けられ、導出路３８を介して第一供給皿６に導かれる。そして、第一供給皿６にパチンコ球が充満したとき、その余剰球を余剰球受皿１１に導く余剰球通路３９が形成されている。また、前記窓部３２の下方には、遊技機全体の遊技動作を制御する遊技制御基板４０や球払出制御基板４１および発射制御基板４２が設置されている。４３は余剰球受皿１１の満タンを検知する検知手段である。
【００２７】
前記球払出装置３６は、図４に示すように払出機構３６ａと振分機構３６ｂとで構成され、払出機構３６ａは箱枠状のケース４４に前記屈曲誘導樋３５の球通路と連通する通路部としての供給路４５と、該供給路４５に臨み最先のパチンコ球を支持する制御体としての回転制御体４６と、該回転制御体４６の回転により支持から外れ払出される排出通路４７とを備え、ケース４４のカバー体４４ａに前記回転制御体４６を回転する電気的駆動源としてのモータ４８が取付けられている。前記回転制御体４６は、前記供給路４５のパチンコ球を支持する寸法を有する円盤状をしており、その周面に凹窪した球受部４６ａを複数（本実施の形態では６個）形成し、その中心を前記モータ４８のモータ軸４８ａに取付け、該モータ４８の回転により回転制御体４６を回動して１個単位で排出通路４７に払出すようにしている。
【００２８】
また、払出機構３６ａの下方に位置する振分機構３６ｂは前記排出通路４７を賞球通路４７ａと貸球通路４７ｂとに分岐して、それぞれの通路４７ａ，４７ｂに球計数センサを４９ａ，４９ｂ設けている。前記分岐部に払出機構３６ａから払出されたパチンコ球を賞球通路４７ａと貸球通路４７ｂのいずれか一方の通路に導く切換弁５０を回動自在に配設しており、電気的駆動源としてのソレノイド５１の励磁・消磁によって切換弁５０が賞球通路４７ａと貸球通路４７ｂのどちらか一方を閉塞するように回動するようにしている。前記切換弁５０とソレノイド５１の連繋は、切換弁５０に突設した作動ピン５０ａをソレノイド５１のプランジャ５１ａに取付けられた作動体５２に係合することで行われ、ソレノイド５１の励磁・消磁によって切換弁５０が回動して通路の切換え動作が行われる。
【００２９】
なお、球払出装置３６は上記実施の形態に限定されるものではなく、制御体をスクリュータイプ等の回転体および揺動体としてもよく、電気的駆動源として直線式および回転式ソレノイドを使用して１個単位で払出す球払出装置であってもよいのはいうまでもない。また、前記払出機構３６ａと振分機構３６ｂとをそれぞれ独立して別個に形成するようにしてもよく、貸球を必要としない普通機とした際には振分機構３６ｂにかえて単に賞球のみを流下させる通路枠とすればよい。
【００３０】
前記前板７の前面に設けられる第一供給皿６は、図５および図６に示すように前記前板７の前面を覆う飾板部材５３とパチンコ球を貯留する皿部材５４とその前面を覆うカバー部材５５とで構成されている。
【００３１】
前記皿部材５４は、パチンコ球が貯留される皿部５４ａと下方に延出する側板部５４ｂと側方に延出する水平板部５４ｃを有している。皿部５４ａは、底部が一方に緩やかに下り傾斜し、その下流側に誘導側壁を介して段状に高くした球圧受部５６によりパチンコ球が一列に整列される整流路５７が形成されている。前記整流路５７には上面全長を覆うように断面コ字形に折り曲げ形成した金属プレート５７ａが装着され、整流路５７の摩耗を防止してパチンコ球の円滑な流れを図るようにしている。また、下流端の底面に常には後述する球抜部材５８により閉塞される球抜口５９が開設され、該球抜口５９はその下方に設けられる球抜通路６０に連通するようになっている。そして、球抜通路６０の下流端は前板７に開設される通口６１に臨んで球抜樋６２を介して前記余剰球受皿１１と連通している。
【００３２】
前記皿部材５４の側板部５４ｂの後側には、前記球抜部材５８とＩ字型のレバー部材６３と操作部材６４とで構成された球抜装置６５が設けられている。前記レバー部材６３は軸６３ａにより揺動自在に軸支されると共に、操作部材６４が軸６４ａにより上下方向へ押圧自在に軸支され、レバー部材６３の後面に設けた操作片６３ｂに操作部材６４が接触位置している。そして、前記球抜部材５８は球抜口５９を閉塞する球抜板部５８ａを有し、皿部材５４の側板部５４ｂに設けられるガイド枠５４１内に摺動自在に保持されている。また、球抜部材５８は、側方に突設した横ピン５８ｂをレバー部材６３の下端部に設けた係合孔６３ｃに係合し、水平板部５４ｃの開口６６から臨む操作部材６４の押圧操作により球抜口５９を開閉するようにしており、球抜板部５８は常にはスプリング６７により球抜口５９を塞ぐ位置に付勢されている。そして、操作部材６４の操作により球抜きされた皿部材５４のパチンコ球は、前記球抜通路６０を通って余剰球受皿１１ヘ導かれるようになっている。なお、スプリング６７の一端は回動自在に設けられた球均し部材６８に接続されている。
【００３３】
前記飾板部材５３は、前記前板７のほぼ前面を覆う大きさを有して合成樹脂により形成され、球払出装置３６から排出されたパチンコ球を導入する流入口６９を形成している。そして前記整流路５７の下流端に位置して皿部５４ａのパチンコ球の流出口７０を開設している。７１，７１は後述する支持枠の取付ボスである。
【００３４】
また、前記カバー部材５５は前記皿部材５４のほぼ前面を覆うと共に、前記流入口６９の前面に位置して皿部材５４の上面を覆うように延設部５５ａを設け、球払出装置３６から排出されたパチンコ球が勢いよく流入口６９から流入しても、それらのパチンコ球を決して第一供給皿６の外部に飛び出させることのないようにしている。前記延設部５５ａには球払出操作部７２が設けられており、該球払出操作部７２は球払出スイッチ７３，カード返却スイッチ７４および残数表示器７５を備えている。なお、前記延設部５５ａはカバー部材５５と別体に形成してもよく、別体に形成することで球払出操作部７２が取着されたＣＲ機用と単なる板状の普通機用とに簡単に交換することができる。
【００３５】
一方、前記前板７は横長の方形状に形成され、一側に第一供給皿６を開閉および着脱自在に装着する軸支機構７６が設けられ、他側には第一供給皿６を閉止状態にロックする係止機構７７が設けられている。また、前板７には、前記流入口６９および流出口７０に連通する透孔７ａ，７ｂが開設され、透孔７ａに合致して球払出装置３６から払出されたパチンコ球を皿部５４ａに導く接続樋７８が設けられる。７ｃは軸支側に設けた配線通し用の透孔である。前記軸支機構７６は前面枠２側に設けられた軸を挿通する軸受筒７６ａと該軸受筒７６ａと同一軸上に設けられた軸支部７６ｂにスプリング７６ｃを介して進退自在に付勢された支持軸７６ｄとで構成される。また、前記係止機構７７は、前板７に固着されるＬ型の支持板７９に鉤状片８０ａおよび操作片８０ｂを有する作動板８０がスライド自在に設けられ、スプリング８１により作動板８０が施錠方向に付勢されており、前面枠２に設けられる係止部８２に係止するようにしている。そして、前記操作片８０ｂをスプリング８１の付勢に抗して押圧することで係止部８２と鉤状片８０ａとの係止を解除することができる。なお、前面枠２側に前記係止機構７７を設け、前板７の裏面に該係止機構７７の係止部８２を設けるようにしてもよいのはいうまでもない。また、前記金属プレート５７ａを前板７と一体に形成するようにしてもよい。
【００３６】
一方、前記前板７の裏面に前記透孔７ｂを囲うように中空状の支持枠８３が設けられる。前記支持枠８３には、図７および図８に示すように前記第一供給皿６のパチンコ球を１個ずつ供給する球送り装置８４と、前記球送り装置８４から供給されたパチンコ球を発射位置である待機部８５ａに一時停止させる発射レール８５と、前記待機部８５ａのパチンコ球を遊技盤３面に打ち込む打撃装置８６等の一連の発射関連機構を一体に組付けて発射ユニット８７を構成している。
【００３７】
前記支持枠８３はベース体８３ａとカバー体８３ｂとからなり、一側上下部に設けられる軸部材８８および軸受部８９によりベース体８３ａにカバー体８３ｂが開閉自在に取付けられ、開放側は先端に係止爪９０ａを有する係止片９０および係止孔９１により係止される。また、ベース体８３ａには前板７に形成された前記透孔７ｂに合致する導入口９２が開設されると共に前記球送り装置８４をビス止めするための複数の取付ボス９３および球送り装置８４を取着するための軸受部９４、さらには固定孔９５ａおよび挟持部９５ｂがカバー体８３ｂ側と一対を成して形成されている。９６は支持枠８３を前板７に取着する嵌合筒部である。また、カバー体８３ｂには発射レール８５の位置決めおよび取り付け用の取着凸部９７が複数設けられ、該取着凸部９７は発射レール８５の内側間隔とほぼ同一寸法に形成されている。さらに発射レール８５の待機部８５ａにパチンコ球を位置決めするストッパー９８の取付部９９、或いは打撃装置８６を取付けるための取着凹部１００が設けられている。
【００３８】
前記球送り装置８４は、図８に示すように箱状のケース体１０１と、該ケース体１０１の内部に設けられる球送り部材１０２と、該球送り部材１０２を作動させる電磁石１０３とから構成されている。前記ケース体１０１は、前板７に形成された前記透孔７ｂに連通する後面が開放したほぼ垂直な球通路１０１ａが形成され、その球通路１０１ａの下流端に発射レール８５の待機部８５ａに対応する供給口１０１ｂが形成されると共に斜め上方が開放した半円状の軸受１０１ｃが形成されている。前記軸受１０１ｃの斜め上方を開放することにより組付けの際に球送り部材１０２が仮軸支でき、組付け時に球送り部材１０２がケース体１０１から脱落するのを防ぐことができる。
【００３９】
前記球送り部材１０２は供給口１０１ｂと連通する球通路１０１ａに設けられ、発射レール８５とほぼ平行に設けられる横軸１０４に上下方向へ回動可能に軸支される。また、球送り部材１０２には、最先のパチンコ球を下方から支持する支持部１０２ａと該支持部１０２ａで支持したパチンコ球が受入れられる円弧状に形成された球受部１０２ｂとが設けられており、横軸１０４より下方でありケース体１０１の外方に突出する係合ピン１０２ｃとが設けられている。一方、前記電磁石１０３は、上部に係止突片１０５ａを備えたＬ字形の支持板１０５と一体化されて、その下方に磁性体からなる可動板１０６が対設されている。この可動板１０６は、後端が支持板１０５の下端に係止されて上下方向へ回動可能なように支持されており、常にはバネ１０７によって下向きに回動付勢されている。また、可動板１０６の先端は、前記係合ピン１０２ｃの突出端の下方に臨んで係合するようになっている。
【００４０】
そして、前記電磁石１０３が励磁されると、該電磁石１０３の励磁に伴なう可動板１０６の吸着作用（図９鎖線参照）により球送り部材１０２が図１１鎖線のように上向き（時計回り方向）に回動され、電磁石１０３の消磁に伴なう可動板１０６の下方への回動（図９実線位置）により自重により球送り部材１０２が下向き（反時計回り方向）に回動されるもので、球送り部材１０２の上向き回動により球通路１０１ａの先頭に位置する打球を球受部１０２ｂに受け入れて保持し、球送り部材１０２が下向き回動されるとその球受部１０２ｂの打球を発射レール８５の待機部８５ａに供給するようになっている。
【００４１】
なお、球送り装置８４における球送り部材１０２は上記実施の形態に限定されることなく、球送り部材１０２の回動支軸１０４を発射レール８５と直交状に突設して球送部材１０２が発射レール８５と平行状に揺動するものであってもよいのはいうまでもない。また、好ましくはスロット式遊技機への変更を前提として所定数のパチンコ球を単位賭数としても回収できるスプロケットタイプ，支持部１０２ａまたは球受部１０２ｂのいずれかを有する揺動体がよい。
【００４２】
前記発射レール８５は、図８に示すようにステンレスにより上面のほぼ中央に長さ方向の全長に亘って漸次先端に向かって浅くなるガイド溝８５ｂが形成された断面Ｍ字形状に形成されており、両側に透孔１０８ａを穿設した位置決め片１０８およびビス孔１０９ａを開口した取着片１０９が垂下している。なお、待機部８５ａは別体に形成されたストッパー９８により位置決めされるが、発射レール８５の始端部を屈曲してストッパーとしてもよい。また、発射レール８５をアルミ等により前記支持枠８３と一体に形成してもよい。
【００４３】
前記打撃装置８６は、電気的駆動源としてのソレノイド１１０に前記発射レール８５の待機部８５ａに先端が臨む打球杆１１１としてのプランジャが挿通して構成されており、ソレノイド１１０の通電・断電により打球杆１１１を進退してパチンコ球を発射する。また、前記ソレノイド１１０はコ字状の取付枠１１２を固着している。
【００４４】
次に、前記球送り装置８４，発射レール８５，打撃装置８６の組付けについて説明する。前記球送り装置８４の取着は、前記球送り部材１０２を軸受１０１ｃで仮軸支したケース体１０１を前記透孔７ｂに連通するように取付ボス９３にビス着すると共に前記球送り部材１０２を軸受部９４で軸支して回動可能に取着する。そして、電磁石１０３の係止突片１０５ａをベース体８３ａの固定孔９５ａに挿通すると共に支持板１０５を挟持部９５ｂで挟持し、可動板１０６の先端を前記係合ピン１０２ｃの突出端の下方に臨んで係合するようにして開放面側をカバー体８３ｂで閉塞する。次に、発射レール８５の取着は位置決め片１０８の透孔１０８ａを前記取着凸部９７に嵌挿してカバー体８３ｂの表面に密着させて位置決めし、他方の取着片１０９を取着凸部９７の先端に当接させた後、ビス孔１０９ａにビスを螺締することにより支持枠８３のカバー体８３ｂに発射レール８５が強固に取着される。そして、前記待機部８５ａの位置決めストッパー９８を取付部９９に取付け、前記打撃装置８６の打球杆１０７の先端が発射レール８５の待機部８５ａに臨むように取付枠１１２を取着凹部１００にビス着して打撃装置８６を取着する。
【００４５】
このように支持枠８３にユニット化して設けられる発射ユニット８７は、図９および図１０に示すように球送り部材１０２の球受部１０２ｂが発射レール８５の待機部８５ａに正しく対峙しており、制御手段により前記打撃装置８６の発射動作と前記球送り装置８４により発射レール８５の待機部８５ａにパチンコ球を送り込むタイミングを制御するようになっている。
【００４６】
なお、前記球送り装置８４を電気的駆動源である電磁石１０３により球送り部材１０２を可動するようにして、電気的制御手段により打撃装置８６の発射動作と発射レール８５の待機部８５ａにパチンコ球を送り込むタイミングとを制御するようにしたが、球送り部材１０２を打撃装置８６とリンク部材等を使用した制御手段により機械的に待機部８５ａに送り込むタイミングを図るようにしてもよい。例えば、打撃装置８６の打球杆１１１に、該打球杆１１１の進退により球送り部材１０２を揺動させるリンク部材を取着するようにすればよい。また、電気的駆動源としてモータを使用して、球送り部材を回転させることにより待機部８５ａに送り込むようにしてもよい。
【００４７】
次に前記発射ユニット８７を前板７に取付けるには、図１０および図１１に示すように前板７の裏面に突出した取付ボス７１に嵌合筒部１２１を嵌合してビス孔１２２にビスを螺締することで前板７の裏面後側に取付けられ、第一供給皿６側に全ての発射関連機構が設けられることになる。なお、球送り装置８４の電磁石１０３および打撃装置８６のソレノイド１０６の配線は、第一供給皿６の軸支側からパチンコ遊技機の裏面側に導かれ所定の基板に接続される。また、発射ユニット８７の取着方法はビス着に限定されることなく、例えば前板７に貫通形成された取付孔に、支持枠８３に形成される鉤片を嵌めて支持枠８３を前板７に密着させ、支持枠８３を下方へ押し下げて鉤片を取付孔に係合させるようにして取着するようにしてもよい。これによって、発射ユニット８７をビス止めすることなくワンタッチで強固に取付けることができる。また、別途形成した係止部材により発射ユニット８７を取着するようにしてもよいのはいうまでもない。
【００４８】
上記したように、第一供給皿６のパチンコ球を遊技領域３ａに発射するまでの、一連のパチンコ球の流れに関連する球送り装置８４，発射レール８５，打撃装置８６等の発射関連部品を打球を貯留整列する第一供給皿６という限られた場所に設けることで、パチンコ遊技機として装着される第一供給皿６に全ての発射関連機構が集約され夫々の組付けおよび位置調整が容易となる。また、前記発射ユニット８７の近傍に位置する係止機構７７を支持枠８３に組付けるようにしてもよい。上記構成の第一供給皿６は軸支機構７６により前面枠２に開閉自在に装着され、球払出操作部７２および球送り装置８４，打撃装置８６等の配線は前記透孔７ｃを介して遊技制御基板４０や球払出制御基板４１および発射制御基板４２等に接続される。このとき配線が軸支機構７６側に設けられている透孔７ｃから前面枠２側に導かれるようにしているため、配線が第一供給皿６の開閉に支障となることはない。
【００４９】
上記構成のパチンコ遊技機は、予め金額および球数情報が記録されたプリペイド，貯球カードまたは現金を、隣設される球貸し機（図示せず）の投入口に投入し球払出スイッチ７３を押圧することで球貸出信号を発信する。この球貸出信号があると図４鎖線に示すように振分機構３６ｂのソレノイド５１を励磁して切換弁５０を同図鎖線に示すように作動することにより賞球通路４７ａを閉塞して貸球通路４７ｂを開放状態とすると共に、球払出装置３６の駆動モータ４８を駆動して回転制御体４６を回転させてパチンコ球を払出し貸球として貸球通路４７ｂを流下し、貸球用の球計数用センサ４９ｂによりカウントされながら排出樋３７に導かれ、導出路３８を介して第一供給皿６に貯留される。そして、貸球用の球計数用センサ４９ｂが所定個数の貸球をカウントすると球払出装置３６の駆動モータ４８が停止し、振分機構３６ｂのソレノイド５１が消磁して図４実線に示すように、切換弁５０が貸球通路４７ｂを閉塞して賞球通路４７ａを開放状態とする。そして、球払出装置３６から払出されたパチンコ球が接続樋７８を介して流入口６９から皿部５４ａに流入して貯留されると共に、図１１に示すように整流路５７に整列し最先のパチンコ球が流出口７０，透孔７ｂを介して球送り装置８４に送り込まれる。そして、ケース体１０１の球通路１０１ａに流入し、最先のパチンコ球が球送り部材１０２の支持部１０２ａに支持され後続するパチンコ球も連続して待機する。
【００５０】
この状態で遊技者が操作ハンドル１２の操作レバー１４を回動してボリュームスイッチ１５のボリューム調整をすることによりパルス信号が出力され、この信号が入力した制御手段は所定のタイミングで前記球送り装置８４および前記打撃装置８６へ駆動指令を出力し、球送り装置８４の電磁石１０３に電流が流されて該電磁石１０３が励磁され、図９鎖線に示したように鉄芯１０３ａに可動板１０６が吸着され、図１１鎖線に示すように球送り部材１０２が後傾状に回転動することで、支持部１０２ａで支持された最先端のパチンコ球が球受部１０２ｂに受入れられ、次いで電磁石１０３の励磁が解かれ自重で図９および図１１実線の状態に戻ったとき、該パチンコ球が発射レール８５の待機部８５ａに送給される。そして、その発射レール８５の待機部８５ａにパチンコ球を送り込むタイミングに同期して打撃装置８６のソレノイド１１０を作動させて打球杆１１１を反復動させ、発射レール８５の待機部８５ａに待機するパチンコ球をガイドレール１６を介して遊技盤３面に打ち出し遊技領域３ａに導くようにしている。
【００５１】
そして、遊技領域３ａに導かれたパチンコ球が入賞口１７，始動入賞口１９，大入賞口２０等に入賞して入賞球信号があると球払出装置３６の駆動モータ４８を駆動し回転制御体４６を回転させてパチンコ球を払出す。このとき前記表示部２６ａに払出された賞球個数が表示される。払出されたパチンコ球は賞球として賞球通路４７ａを流下し、賞球用の球計数用センサ４９ａによりカウントされながら排出樋３７に導かれ、賞球用の球計数用センサ４９ａが所定個数の賞球をカウントすると球払出装置３６の駆動モータ４８が停止する。そして、前記可変表示装置１８の図柄が揃い「大当り」となり賞球の払出しが連続して第一供給皿６に賞球が充満し、さらに導出路３８に充満すると以後に払出される賞球は余剰球通路３９に導かれて余剰球受皿１１に貯留される。この「大当り」状態では表示部２６ｂにラウンド数が表示される。
【００５２】
また、余剰球受皿１１が満タンになると常には底面に開設された球抜孔１１４を閉塞している球抜き部材１１５を操作して前記球抜孔１１４を開放して球抜きすればよい。
【００５３】
次にパチンコ球を使用して前記可変表示装置１８の変動表示を任意で順次止めるスロット式遊技機について図１３乃至図１８を参照して説明する。図１４はＣＰＵ，ＲＯＭ，ＲＡＭ，Ｉ／Ｏからなる遊技制御基板４０に接続される本発明に関連する入出力機器を示したブロック図である。前記パチンコ遊技機の実施の形態と異なる点は球供給皿であるため、同じ構成要素には同一符号を付して説明する。スロット式遊技機に改造する改造用球供給皿としての第二供給皿１１６は、前記第一供給皿６と互換性を有し、カバー部材５５以外は基本的には同じ構成としており球抜装置６５および前板７に設けられる軸支機構７６，係止機構７７は全く同じ構成であるため説明は省略する。
【００５４】
第二供給皿１１６には、少なくとも所定数のパチンコ球を単位賭数として回収する球回収機構と、球回収されたことを条件として前記可変表示装置１８の図柄表示を変動させる始動操作部と、前記可変表示装置１８の変動図柄を停止させる停止操作部とが備えられる。前記球回収機構は、単位賭数を設定する賭数設定操作部１２０と、前記賭数設定操作部１２０で設定された所定数のパチンコ球を排出する球切装置１２５と、前記球切装置１２５から排出されたパチンコ球を計数する球数確認センサ１３４とで構成される。前記球回収機構は、ユニット化するのが好ましく、保管及び組付けの効率化を図ることができる。
【００５５】
そして、図１５に示すようにカバー部材５５に第一供給皿６と同様に球払出操作部７２を設けており、前面側を覆うようにスロット式遊技機として必要な操作部および表示器等の機能部が一体にユニット化して設けられた装飾体１１７が取着されている。前記装飾体１１７の前面には前記可変表示装置１８の図柄表示を変動させる始動操作部としてのスタートスイッチ１１８と、前記可変表示装置１８の変動図柄を任意で停止させる停止操作部としての複数のストップスイッチ１１９ａ〜１１９ｃとが設けられている。そして、上面側には賭け数（有効ライン）を設定する賭数設定操作部としての最高の賭け数（３単位）を設定するマックスベットスイッチ１２０ａと賭け数を１単位ずつ行うベットスイッチ１２０ｂが設けられ、その側方にその賭け数または有効ラインをＬＥＤ１２１ａの点灯で表示する賭け表示器１２１が設けられている。さらに、賭け数となるパチンコ球を記憶するか記憶しないかを設定する記憶操作部としてのクレジットスイッチ１２２と記憶された賭け数を球数として表示する記憶表示器１２３と、記憶した球数を余剰球受皿１１に払い戻す払戻操作部としてのペイオフスイッチ１２４が設けられている。なお、上記操作部の配置は限定されるものではなく、任意に変更可能であり例えばスタートスイッチ１１８およびストップスイッチ１１９ａ〜１１９ｃは装飾体１１７の上面側に設けるようにしてもよい。前記賭数設定操作部１２０は、マックスベットスイッチ１２０ａを操作すると、横３列と斜め２列の５本の有効ラインが設定され、ベットスイッチ１２０ｂを操作するごとに最高３単位を限度として賭数と共に有効ラインが１，３，５と増えて設定される。なお、説明上賭数および有効ライン数を設定したが、この実施の形態に限定されるものではなく、賭数の上限および有効ライン数を増やしてもよいことはいうまでもない。また、この実施の形態に示したように、第一供給皿６のカバー部材５５のみを、装飾体１１７が取着されているカバー部材５５と交換することで、簡単に第二供給皿１１６に変更することができ、他の部材の共有化が図れコストの低減化に寄与することができる。
【００５６】
また、前板７の裏面に前記球送り装置８４にかえて所定個数（本実施の形態において５個）のパチンコ球を単位賭数として回収する球回収機構としての球切装置１２５が設けられると共に、回収通路１２６が設けられ該回収通路１２６の終端は開口２１ａを介して前記アウト球通路２１に連通している。そして、回収球は回収通路１２６に設けられた球数確認センサ１３４で球数が確認され前記開口２１ａからアウト球通路２１を介して機外に排出されるようになっている。なお、単位賭数として本実施の形態において５個としたが、数に限定されるものではなく任意に設定され１個であっても１０個であってもよい。
【００５７】
前記球切装置１２５は、図１６および図１８に示すように透孔７ｂから流出する最先のパチンコ球を支持し、該パチンコ球の荷重により回転する球切回転体１２７と、該球切回転体１２７の回転を制御する制御手段としてのソレノイド１２８とにより構成されている。前記球切回転体１２７は周面にパチンコ球を１個ずつ受入れる球受部１２７ａを５個所形成し、側面に停止突起１２９を突設している。一方制御手段としてのソレノイド１２８は、プランジャ１３０の先端に前記停止突起１２９に係脱する鉤部１３１を有する作動部材１３２が設けられ、常にはプランジャ１３０に巻装されたスプリング１３３の付勢により作動部材１３２が下動して、鉤部１３１が停止突起１２９に係合して球切回転体１２７が停止した状態にある。
【００５８】
次に前記球切装置１２５の作用について説明する。前記ベットスイッチ１２０ａ，１２０ｂの押圧により信号が発せられると、図１８鎖線に示すように制御手段のソレノイド１２８が瞬間的に励磁する。ソレノイド１２８が励磁するとプランジャ１３０の吸引にともなって作動部材１３２が上動し、鉤部１３１が球切回転体１２７の停止突起１２９との係合を解除して球切回転体１２７がパチンコ球の荷重により回転する。このときソレノイド１２８はすぐに消磁して元の実線位置に復動するも、球切回転体１２７は球荷重により停止突起１２９が鉤部１３１に係止するまでつまり球切回転体１２７が一回転するまで回転し続ける。このことから、ソレノイドの１回の励磁により球受部１２７ａの数分（５個）のパチンコ球が単位賭数として回収通路１２６に排出される。そして、球数確認センサ１３４により規定数（５個）の球数が確認されると賭け表示器１２１のＬＥＤ１２１ａが点灯表示される。本実施の形態においてはゲーム毎に連続３回（ベット数）を上限に排出される。
【００５９】
また、図１７に示すように前記球切装置１２５の最先のパチンコ球から５個目に位置するパチンコ球の有無を検知する球検知センサ１３５が整流路５７に設けられており、皿部５４ａのパチンコ球が賭け数の１単位である５個に満たず前記センサ１３５が検知していないときにはマックスベットスイッチ１２０ａおよびベットスイッチ１２０ｂが働かないようにしている。なお、前記球切回転体１２７の回転を制御する制御手段はソレノイド１２８に限らずモータ（ステッピングモータ）であってもよい。また、球切装置１２５は上記実施の形態に限定されることなく、単位賭数として設定した所定数のパチンコ球が回収できるものであればよく、例えば賭け数の１単位（パチンコ球５個）をケースに収容しケース単位で回収するようにしたり、前記パチンコ遊技機の球送り装置８４のように１個ずつ送り出したりするものであってもよい。さらに、前記払出機構３６ａの回転制御体４６とモータ４８を使用することにより高速回収が可能となり記憶操作による球回収を素早く行うことができる。
【００６０】
前記したパチンコ遊技機をスロット式遊技機に変更するには、前記パチンコ遊技機用の第一供給皿６に替えて上記構成の改造用球供給皿の第二供給皿１１６を装着すればよい。この第二供給皿１１６は前記第一供給皿６と同様に軸支機構７６により前面枠２に開閉自在に装着され、球払出操作部７２およびスロット式遊技機としての操作部１１８，１２０，１２２，１２４さらに表示器１２１，１２３等の配線は前記透孔７ｃを介して遊技制御基板４０や球払出制御基板４１および発射制御基板４２等に接続される。このとき配線が軸支機構７６側に設けられている透孔７ｃから前面枠２側に導かれるようにしているため、配線が第二供給皿１１６の開閉に支障となることはない。
【００６１】
第二供給皿１１６を装着することにより、図１４のブロック図に示すように前記スタートスイッチ１１８，ストップスイッチ１１９ａ〜１１９ｃ，ベットスイッチ１２０，賭け表示器１２１，記憶表示器１２３等が遊技制御基板４０に接続され、ＲＯＭのプログラムに従いＣＰＵが前記スタートスイッチ１１８，ストップスイッチ１１９ａ〜１１９ｃ，ベットスイッチ１２０等からのデータを取込んだりＲＡＭ間で演算処理したりして、必要に応じて処理したデ−タを賭け表示器１２１，記憶表示器１２３等に表示したり可変表示装置１８の表示を変動または停止するように出力する。
【００６２】
また、パチンコ遊技機の遊技盤３を使用することでスロット式遊技機として可変表示装置１８およびレンズ飾り２４，２５をそのまま使用するものの、ガイドレール１６および入賞口１７，大入賞口２０等は使用しないため、図１３に示すように可変表示装置１８およびレンズ飾り２４，２５が枠抜きまたは透明部として視認できるようにされ、スロット式遊技機として不用のガイドレール１６および入賞口１７，大入賞口２０等を隠蔽する飾り板１３６を遊技盤３の前面側に設けるのが好ましい。本実施の形態において飾り板１３６は、ガラス扉枠５の保持枠５ｂのガラス間に内装されており、邪魔になることもなく装着しやすくてよい。該飾り板１３６には当たり図柄およびリーチ目等の遊技説明が描かれている。このように飾り板１３６を設けることでよりスロット式遊技機らしくすることができる。また、飾り板１３６はガラスに貼着しても、飾り板１３６をガラスに印刷したものとしてガラス扉枠５のガラスと交換するようにしてもよい。
【００６３】
この第二供給皿１１６を装着したスロット式遊技機は、前記パチンコ遊技機と同様にして球貸し操作により貸球が第二供給皿１１６に払出される。そして、遊技者が任意で記憶操作部１２２を押圧すると前記球切装置１２５が作動して本実施の形態において最高２５０個（賭け数５０単位分）が回収されて記憶部に記憶されると共に記憶表示器１２３にその記憶数が表示される。このとき、記憶操作部１２２の押圧により貸球を第二供給皿１１６に払出すことなく直接記憶部に記憶させるようにしてもよい。次に賭け数に応じてマックスベットスイッチ１２０ａまたはベットスイッチ１２０ｂを押圧すると、その賭け数に応じて前記記憶表示器１２３からその賭け数分の球数を減算表示すると共に賭け表示器１２１のＬＥＤ１２１ａが点灯して有効ラインを示して遊技が可能状態となる。また、記憶表示器１２３に記憶されていない場合には前記球切装置１２５が作動して賭け数に応じたパチンコ球を皿部５４ａから直接回収する。このとき前記センサ１３５にパチンコ球が検知されない球不足状態では球切装置１２５が作動することはない。なお、皿部５４ａの最先のパチンコ球を検知する検知センサを設けて、前記センサ１３５の検知を条件に、クレジットスイッチ１２２を押圧操作したと同じように自動的に皿部５４ａのパチンコ球を回収記憶させるようにしてもよい。
【００６４】
次に、単位賭数のパチンコ球が球数確認センサ１３４で確認されて所定個数が回収されたことを条件としてスタートスイッチ１１８を操作すると、前記可変表示装置１８の各ドラム２７ａ〜２７ｃが回転して図柄が変動し、遊技者がストップスイッチ１１９ａ〜１１９ｃを任意で押圧して各ドラム２７ａ〜２７ｃを停止させる。このときの賭け数に応じた有効ラインの停止図柄が所定の組合せ図柄の場合に、前記球払出装置３６から所定の賞球が払出されると共に表示部２６ａに払出個数が表示される。さらに特定の組合せ図柄の場合には表示部２６ｂに残ゲーム数が表示される。そして、クレジットスイッチ１２２の押圧状態で多量の賞球が払出されると最高２５０個（賭け数５０単位分）が回収されて記憶部に記憶され、残りの賞球は第二供給皿１１６から溢れて余剰球受皿１１に貯留される。以後同様の操作でゲームが続けられる。このとき第二供給皿１１６に別途オートスイッチを設けて、該オートスイッチを押圧操作することでスタートスイッチ１１８を操作する毎に予め設定した賭け数分を記憶された単位賭数から自動的に減算するようにして、その都度賭数設定操作部１２０を押圧することなく自動的にゲームができるようにしても、また第二供給皿１１６に別途セミオートスイッチを設けて、該セミオートスイッチを押圧操作することでゲーム毎に自動的に賭け数分のパチンコ球がその都度皿部５４ａから回収されるようにしてもよい。
【００６５】
そしてゲーム終了後、ペイオフスイッチ１２４を押圧すると記憶表示器１２３に記憶表示された球数が球払出装置３６の作動により第二供給皿１１６，余剰球受皿１１に払い戻され、前記パチンコ遊技機と同様の球抜き操作により球抜きすることができる。なお、球払出装置３６の下方に余剰球受皿１１に優先的に導くように可動する弁部材を設け、ペイオフスイッチ１２４を押圧操作すると前記弁部材が可動して球払出装置３６から払出される記憶球を直接余剰球受皿１１に導くようにするのが好ましく、いちいち第二供給皿１１６に導いて球抜きすることがなく球抜き操作を簡単にすることができる。このとき検知手段４３で余剰球受皿１１の満タンが検知されると余剰球受皿１１のパチンコ球が球抜きされるまで球払出装置３６を停止させたり前記弁部材を復動して一旦第二供給皿１１６に導くようにしてもよい。
【００６６】
また、スロット式遊技機において前記可変表示装置１８の変動および停止が任意で行われるため、興趣を高めるため各ドラム２７ａ〜２７ｃの回転方向を逆転したり回転速度を異ならせたり、ストップスイッチ１１９ａ〜１１９ｃの押すタイミングによりドラム２７ａ〜２７ｃの停止速度が変化するようにするのが好ましい。例えば１個のドラム２７ａの停止毎に他のドラム２７ｂ，２７ｃの回転速度を速くするようにして、最初のドラム２７ａを停止させるときにはゆっくり回転し狙った図柄を停止しやすくし、次のドラム２７ｂを停止させるときには最初のドラム２７ａ回転よりスピ−ドを速くして少し図柄を狙い難くし、最後のドラム２７ｃを停止させるときにはドラム２７ｃを高速回転させて偶然性を高くする等すればよい。
【００６７】
なお、スロット式遊技機は、球皿近傍の球数確認センサ１３４で球検知して可変表示装置１８を変動させるため、前記球数確認センサ１３４を作用させて球回収された状態にする不正行為が簡単に起されやすく、それを防止するために皿部５４ａの上面を視認可能なカバー体により閉塞するのが好ましい。また、デザイン上からガラス扉枠５の透明板を利用して皿部５４ａの上面までをキャノピーのように膨出して閉塞するカバー体としてもよい。前記カバー体を設けることにより皿部５４ａからの球零れも防止することができる。また、透明板を膨出することでスロットドラムを前方へ出して取付けることができるため、スロット式遊技機として後方への突出量が少なくでき、後方に位置する遊技機との間隔が狭いホールへの取付けが可能となる。さらにスロットドラムが前方に位置することで迫力ある遊技を楽しむことができる。
【００６８】
また、不正行為を防止するための他の手段として、前記球数確認センサ１３４の他に不正防止用のセンサを設けるようにしてもよく、不正により擬似球を往復動させて球数確認センサ１３４で検知させるようにしても、球数確認センサ１３４で検知してから不正防止用のセンサで検知する正規の検知順番が、擬似球を往復動させることにより不正防止用のセンサで検知してから球数確認センサ１３４で検知することになり、正規の検知順番と異なるため不正行為を確認することができる。なお、不正防止用のセンサは、球数確認センサ１３４の上下流のどちら側に設けてもよい。また、不正防止用のセンサを別途設けることなく、球数確認センサ１３４を複数設けるようにしてもよく、複数（２個以上）設けることで時系列にパチンコ球を確認でき、不正行為をこれまで以上に排除することができる。但し、これらの球数確認センサ１３４をフォトセンサとして隣接した場合、乱反射による誤動作が問題となるが、複数のセンサのそれぞれの発光波長を異ならせたり、変調パルス駆動によりセンサの駆動時間を回路上で分割したり、フォトセンサの受光素子と発光素子の表面に偏光板を装着することで誤動作に対処することができる。
【００６９】
また、この実施の形態において操作ハンドル１２は、配線が接続されず形だけの存在となっている。このため、前記操作ハンドル１２の替わりにカップホルダー１３８と付替えるようにしてもよく、カップホルダー１３８は図１９に示すように前記操作ハンドル１２と類似形状とするのが好ましい。
【００７０】
なお、前記球貸し操作部７２は必ずしも設ける必要はなく、球払出装置３６から貸球を払出すことなく台間に設けられる球貸し機からの払出しにより貸球を購入するようにしてもよい。
【００７１】
以上のように、パチンコ遊技機用の第一供給皿６を、所定個数のパチンコ球を単位賭数として回収するようにしたスロット式遊技機用の第二供給皿１１６に交換するだけで、パチンコ遊技機を簡単にスロット式遊技機に変更することができる。また、第一供給皿６と第二供給皿１１６はカバー部材５５が異なるだけで、カバー部材５５以外は共通部品化することができ、球供給皿の製造コストを下げることができ、パチンコ遊技機用とスロット式遊技機用とに容易に対応することができる。このことから、スロット式遊技機はパチンコ遊技機と形状的にほとんど変わりなく、ホールの同一島内にパチンコ遊技機とスロット式遊技機とを違和感なく混在させたり、一気にスロット式遊技機に変更させたりすることができる。さらに、打撃装置８６および発射レール８５を第一供給皿６に設けることにより、スロット式遊技機に変更した際には発射関連部品が一切なくなりすっきりさせることができる。なお、打撃装置８６および発射レール８５を第一供給皿６に設けることなく遊技機の本体側に設けるようにしても、スロット式遊技機への変更時に支障をきたさないようにすれば何等問題はない。
【００７２】
また、好ましくはパチンコ遊技機として使用した発射関連構成部品を利用するのがよく、例えば球回収機構としての球送り装置８４をそのまま利用し、前記打撃装置８６およびストッパー９８を外して発射レール８５に落下するパチンコ球を回収する回収通路１２６を設けるようにしてもよい。このとき発射レール８５を外すようにしてもよい。
【００７３】
また、前記発射レール８５は図２０に示すように、パチンコ遊技機として使用する際には遊技盤３側に向って上傾しているが、該発射レール８５を着脱又は上下方向に揺動自在に設けて、スロット式遊技機への変更時に該発射レール８５を前記開口２１ａに向けて下傾させ、回収通路の一部として利用するようにしてもよく、球送り装置８４を作用させて発射レール８５に落下したパチンコ球を前記回収通路１２６，開口２１ａを介してアウト球通路２１から回収するようにすればよい。このとき、発射レール８５に落下したパチンコ球を計数する球数確認センサ１３４を設けるのが好ましく、供給口１０１ｂに設けるか発射レール８５の下端側に設けるのがよい。なお、パチンコ遊技機として使用する際にも該センサを設けて、球確認センサとして使用するようにしてもよい。
【００７４】
次に、前記発射レール８５を回収通路の一部として利用する際の具体例を示す。先ず、例えば予め支持枠８３に、発射レール８５を回収通路の一部として利用する際の取着凸部９７を形成し、パチンコ遊技機からスロット式遊技機に変更して使用する際に、発射レール８５を固定していたビスを外し、図２０鎖線に示すように該発射レール８５が下傾するように、回収通路用の取着凸部９７に装着してビスを螺締することにより、簡単にスロット式遊技機用の球切装置に変更することができる。また、発射レール８５を打撃装置８６寄りのビスを緩めて該ビスを支点として揺動自在とするのが好ましく、パチンコ遊技機からスロット式遊技機への変更作業性がよくなる。また、スロット式遊技機としては、打撃装置８６は必要ないので外してもよいが、前述したように球送り装置８４の電磁石１０３を使用することなく、打撃装置８６のソレノイド１１０を使用して球送り部材１０２を可動させる場合は当然そのまま使用する。このとき、発射レール８５が下傾状態となり待機部８５ａにパチンコ球が供給されることはないので、位置関係上打球杆１１１がパチンコ球を打つことはない。
【００７５】
前記球送り部材１０２を揺動させて１個ずつ所定個数を回収するようにしてもよいが、前記球送り部材１０２が励磁した状態、つまり球受部１０２ｂでパチンコ球を受ける状態で球回収が行われるようにするのがよく、通路の一部を嵌め替えたり交換したりして、１個ずつ発射レール８５に送り込む状態と連続して所定個数が回収できる状態とにすれば、球送り装置８４を効率的な球切装置とすることができる。なお、前述したように球送り部材は実施の形態に示したものに限定されるものではない。また、発射ユニット８７をそのまま利用して発射レール８５の一部または全部を使用し、打撃装置８６で打ち出したパチンコ球を遊技盤３面に打ち込むことなく球検知して回収するようにしてもよい。さらに、球送り部材１０２を取外し常には打球杆１１１により球止めし、打撃装置８６のソレノイド１１０を励磁状態とすることで球止を解除して球回収するようにしてもよい。また、球抜き装置６５を利用して球回収するようにしてもよく、賭数設定操作部１２０の操作または手動により球抜部材５８を移動して皿部５７ａの下流端の球抜口５９を開放し、球抜通路６０に流下するパチンコ球を計数検知すると共に開口２１ａに導き回収すればよい。このとき開口２１ａに導く回収路と余剰球受皿１１に球抜きする通路と切替可能とする切換手段を設けるのが好ましい。
【００７６】
また、前記ガラス扉枠５に替えて図２１および図２２に示すようにスロット式遊技機用の可変表示装置１８を備えた扉枠１４０としてもよい。前記扉枠１４０は前記ガラス扉枠５と互換性を有し、飾り枠５ａの後面にドラム２７ａ〜２７ｃの収納体１４１を設けている。飾り枠５ａには有効ラインを示す賭け数表示器１２１，払出個数の表示部２６ａ，残ゲームの表示部２６ｂ等が設けられ、下方に遊技の説明が描かれている。１４２は収納体１４１に形成された放熱孔である。前記扉枠１４０は遊技盤取付枠４から遊技盤３を外した状態で装着され、収納体１４１が機構板３１の窓部３２から後方に臨むようになる。なお、前記扉枠１４０にスタートスイッチ１１８，ストップスイッチ１１９ａ〜１１９ｃ等のスロット式遊技機に関する機能を備えさせるようにしてもよく、ガラス扉枠５を扉枠１４０と交換するだけでパチンコ遊技機をスロット式遊技機に変更することができる。このときパチンコ遊技機用の球供給皿６を使用し所定数のパチンコ球を単位賭数として回収するようにするのが好ましい。また、前記扉枠１４０と前記改造用球供給皿としての第二供給皿１１６とを一体的に設け、扉枠１４０と第二供給皿１１６とを一体的に開閉し得るようにしてもよい。
【００７７】
また、前記ガイドレール１６および入賞口１７，大入賞口２０等を隠蔽することなく、打撃装置８６および発射レール８５を使用して操作ハンドル１２の操作によって賭け数としてのパチンコ球を遊技盤３面に発射するようにしてもよい。具体的には、例えばマックスベットスイッチ１２０ａまたはベットスイッチ１２０ｂの押圧により賭け数を設定し、該賭け数分のパチンコ球が発射可能となるようにする。そして、操作ハンドル１２の操作によって、賭け数分のパチンコ球（例えば１５個）を遊技盤３面に発射する。このとき、確実に賭け数分のパチンコ球が遊技盤３面に打ち込まれたかを確認するために、前記球戻り防止装置１６ａにパチンコ球の通過を検知するスイッチを設けて弁部材が可動するごとに通過球数をカウントし、ファール球として戻った分は再度第二供給皿１１６から供給して発射できるようにするのがよく、好ましくは賭け数分のパチンコ球（例えば１５個）が確認された時点で、操作ハンドル１２を一旦発射不能状態とするのがよい。
【００７８】
そして、打ち込まれたパチンコ球は入賞口１７または始動入賞口１９に入賞したり、アウト口２３からアウト球として回収され、賭け数が賭け表示器１２１に表示される。そして、入賞口１７または始動入賞口１９に入賞すると所定数の賞球が球払出装置３６から払出されるが、その入賞条件によってスロットとしての遊技の当たり確率を高くするようにしてもよい。後は前記実施の形態と同様にスタートスイッチ１１８を操作して可変表示装置１８の表示を変動させてストップスイッチ１１９ａ〜１１９ｃの任意操作により各ドラム２７ａ〜２７ｃを停止させ、その停止図柄により賞球を払出すようにすればよい。このように賭け数としてのパチンコ球を遊技盤３面に発射させることで、パチンコ遊技機とスロット式遊技機としての両方の楽しみを味わうことが可能となる。また、賭け数としてのパチンコ球を遊技盤３面に発射して始動入賞口１９に入賞した際に、スタートスイッチ１１８を操作したとみなしてパチンコ遊技機時と同様に可変表示装置１８を変動させるようにしてもよい。但し、可変表示装置１８を変動させる場合の賭数の１単位は、通常パチンコ球５個を例えば１０個または１５個に設定を変更するのが好ましい。
【００７９】
なお、上記実施の形態において遊技機の球供給皿６，１１６を余剰球受皿１１の上方に位置して設けるようにしたが、球供給皿６，１１６を余剰球受皿１１の下方に設けるようにしてもよい。球供給皿６，１１６を余剰球受皿１１の下方に設けるには、図２３に示すように球払出装置３６から払い出されたパチンコ球を下方に位置する球供給皿６，１１６に優先的に流入させる払出通路１４３を設け、前記払出通路１４３の途中に溢出口１４４を設けて該払出通路１４３を該溢出口１４４を介して上方に位置する余剰球受皿１１に連通させ、前記払出通路１４３に充満したパチンコ球が前記溢出口１４４から溢れ出し余剰球受皿１１に一時的に貯留されるようにすることで達成される。このとき余剰球受皿１１の底部を溢出口１４４に向けて下傾状に形成するか、余剰球受皿１１の底部の最下部に下方に位置する球供給皿６，１１６と連通し余剰球受皿１１内のパチンコ球を球供給皿６，１１６内に流落させる連通路を設けるようにすればよい。このように、該球経路に充満したパチンコ球が上皿内に余剰球を一時的に貯留されるようにしたので、貯留量を大幅に増やすことができ、従来のように溢れ球を球供給皿６，１１６に手で戻す煩わしさがなく遊技に集中することができる。さらに、下方に位置する球供給皿６，１１６に球抜口５９の他に別途球抜孔を開設するのが好ましく、遊技終了時または満タン時に該球抜孔から球抜きを行うようにすればよい。
【００８０】
また、図２３に示すように前記導出路３８の上方に位置して余剰球受皿１１の満タンを検知する検知手段１５４が設けられ、該検知手段１５４は導出路３８に充満するパチンコ球により押動する検知板１５５と該検知板１５５により押圧される検知スイッチ１５６とで構成される。そして、余剰球受皿１１が満タンとなりパチンコ球により前記検知板１５５が押動されて検知スイッチ１５６を押圧すると遊技盤３に設けられたコーナーレンズ２５を点灯させて遊技者に満タンを報知すると共に、前記球払出装置３６の払出しを停止する。遊技者の球抜き操作により球供給皿６，１１６から球抜きされると再度球払出装置３６が作動して未払いの賞球の払出しが再開される。
【００８１】
なお、上記実施の形態において余剰球受皿１１の満タン時に球払出装置３６を停止させるようにしたが、球払出装置３６の停止時以降の賞球を記憶部に記憶すると共に、記憶された賞球数を前記記憶表示部１２３に表示するようにしてもよい。このときの記憶部に上限を設けることなく、以降の賞球をすべて記憶させるのがよい。
【００８２】
このように、球供給皿６，１１６の上方に位置して余剰球受皿１１を設けることで前記払出通路１４３が補助貯留部となって余剰球の貯留量が多くなり、しかも従来のように余剰球をいちいち手で球供給皿６，１１６に移す必要がなく、球供給皿６，１１６のパチンコ球の減少にともなって余剰球受皿１１のパチンコ球を自動的に球供給皿６，１１６に導くことができる。
【００８３】
上記実施の形態において球供給皿を交換することによりスロット式遊技機に変更するようにしたが、前記球供給皿６，１１６の余剰球を貯留する余剰球受皿１１を着脱自在に設け、前記余剰球受皿１１と互換性を有し可変表示装置１８の図柄変動を開始する始動操作部および図柄変動を停止する停止操作部を設けたスロット式遊技機用の余剰球受皿を、前記余剰球受皿１１と交換することでパチンコ遊技機をスロット式遊技機に変更するようにしてもよい。また、前記スロット式遊技機用の余剰球受皿に前述した改造用球受皿に設けた賭け数を設定する賭数設定操作部等の操作部および表示器を設けるのがよい。なお、パチンコ遊技機の余剰球受皿１１と互換性を有するパネル板にスロット式遊技機の操作機能を設けて、パチンコ遊技機の余剰球受皿１１と交換してスロット式遊技機としてもよい。好ましくは前記した球供給皿６，１１６を余剰球受皿１１の下方に設けるようにして、上方に位置する余剰球受皿１１をスロット式遊技機の操作機能を有する余剰球受皿またはパネル板と交換するのがよい。このとき、パチンコ遊技機の球供給皿６をそのまま利用して、前記球送り装置８４により所定数のパチンコ球を単位賭数として回収するようにするのが好ましい。
【００８４】
また、スタートスイッチ１１８およびストップスイッチ１１９ａ〜１１９ｃ等の操作部を操作しやすくする補助手段を前記ガラス扉枠５，余剰球受皿１１，第二供給皿１１６またはパネル板等に設けるようにしてもよく、図２４に示すようにこの実施の形態において補助手段は補助具として摺動自在なスライダー１４５を設けている。前記スライダー１４５は平面コ字形のパイプレール１４６に摺動自在に嵌っており、該スライダー１４５の端部に押圧片１４５ａを形成している。そして、スタートスイッチ１１８は前記スライダー１４５が最側端部に移動したときに前記押圧片１４５ａにより押圧される位置にあり、ストップスイッチ１１９ａ〜１１９ｃはスライダー１４５に手を載せた状態で該スライダー１４５を摺動させて順番に指で押圧できる位置に設けられている。図上ストップスイッチ１１９ａ〜１１９ｃは親指で押圧する位置に設けるようにしたが、スライダー１４５の上方に位置して人差し指または中指で押圧できる位置に設けるようにしてもよい。なお、スライダー１４５をパイプレール１４６に摺動自在としたが、凹溝レールまたは凸部レールに摺動自在となるように設けるようにしてもよく、好ましくは球供給皿の縁部をレ−ル部とするのがよくデザイン的にも機能的にもよい。また、前記補助具を別途後付けできるようにしてもよく、ガラス扉枠５，余剰球受皿１１，球供給皿１１６またはパネル板等、さらにコインを遊技媒体とするスロットマシンへの装着等汎用性を高めることができる。なお、補助手段は摺動自在な補助具に限らず操作しやすいように設けた手載せ部（手支持部）であってもよい。
【００８５】
また、図２５に示すようにパチンコ遊技機の操作ハンドル１２と該パチンコ遊技機の操作ハンドル１２と互換性を有するスロット式遊技機用の操作ハンドル１２Ａを交換するようにしてもよい。このときパチンコ遊技機用の球供給皿６を使用し所定数のパチンコ球を単位賭数として回収するようにするのが好ましい。なお、前記実施の形態と同じ構成要素には同一符号を付して説明する。スロット式遊技機用の操作ハンドル１２Ａは、全体形状をＬ字型に形成したレバー形状をしており、スロット式遊技機用として必要な機能部を備えている。操作ハンドル１２Ａの側面には所定個数のパチンコ球を１単位の賭け数として回収させるマックスベットスイッチ１２０ａ，ベットスイッチ１２０ｂとペイオフスイッチ１２４が設けられ、握り部上方の平坦面に前記可変表示装置１８の表示を停止させるストップスイッチ１１９ａ〜１１９ｃとクレジットスイッチ１２２が設けられている。また、前記可変表示装置１８の表示を変動させる始動操作部として、レバー形状の操作ハンドル１２Ａを同図矢印方向に傾動させることで可変表示装置１８の表示が変動するようになっている。そして、操作ハンドル１２Ａを設けたスロット式遊技機は、マックスベットスイッチ１２０ａまたはベットスイッチ１２０ｂの押圧により単位賭数のパチンコ球が回収されたことを条件として操作ハンドル１２Ａを傾動させて可変表示装置１８の表示を変動させ、ストップスイッチ１１９ａ〜１１９ｃを任意で押圧して変動図柄を停止させるようにしている。なお、操作ハンドル１２Ａの前後方向の傾動によりスロットとしての機能上のスイッチが働くようにしてもよい。また、前記操作ハンドル１２Ａの形状は実施の形態に限られることなく、パチンコ遊技機用の操作ハンドル１２と類似形状であってもよいのはいうまでもなく、発射機能をそのまま備えさせてもよい。このとき操作方向の反転により作動したり、切換スイッチを設けて切換えるようにしてもよい。
【００８６】
なお、本発明が適用される遊技機として上記実施の形態に限定されるものではなく、ガラス扉枠５と球供給皿６，１１６および余剰球受皿１１までも一体に開放されるパチンコ遊技機であっても、球供給皿６，１１６および余剰球受皿１１が個々に開閉自在に装着されたパチンコ遊技機であっても、ガラス扉枠５と球供給皿６，１１６が一体に開放されるパチンコ遊技機であってもよい。さらに、球供給皿６，１１６および余剰球受皿１１の機能が一体となり球皿が１つしかないもの、前面枠２が存在せず機枠１にガラス扉枠５および前板７が直接開閉自在に装着された遊技機であってもよいのはいうまでもない。
【００８７】
【発明の効果】
以上述べたように本発明に係るスロット式遊技機は、例えばパチンコ遊技機の球供給皿を、所定数のパチンコ球を単位賭数として回収する球回収機構と球回収されたことを条件として可変表示装置の図柄を変動させる始動操作部と前記可変表示装置の変動図柄を停止させる停止操作部とを備えたスロット式遊技機用の改造用球供給皿に交換することにより、パチンコ遊技機をベースとして簡単にスロット式遊技機に変更することができ、ホールのニーズに対応することができる。
【図面の簡単な説明】
【図１】本発明が適用されるパチンコ遊技機の正面図である。
【図２】パチンコ遊技機の裏面図である。
【図３】ガラス扉枠と球供給皿とを開放した状態を示すパチンコ遊技機の下部部分の斜視図である。
【図４】球払出装置部分の要部正面図である。
【図５】球受皿の裏面斜視図である。
【図６】同分解斜視図である。
【図７】発射ユニットの斜視図である。
【図８】発射ユニットの分解斜視図である。
【図９】発射ユニットの正面図である。
【図１０】パチンコ遊技機の要部平断面図である。
【図１１】パチンコ遊技機の要部側断面図である。
【図１２】操作ハンドルの断面図である。
【図１３】スロット式遊技機の正面図である。
【図１４】スロット式遊技機の実施形態を示すブロック図である。
【図１５】スロット式遊技機の球受皿の斜視図である。
【図１６】図１５の裏面斜視図である。
【図１７】図１５の平面図である。
【図１８】球切装置の断面図である。
【図１９】カップホルダーの斜視図である。
【図２０】球切装置として使用する発射ユニットの正面図である。
【図２１】スロット式遊技機の扉枠の斜視図である。
【図２２】図２１の扉枠の裏面斜視図である。
【図２３】払出通路部の要部断面図である。
【図２４】補助具の斜視図である。
【図２５】スロット式遊技機の操作ハンドルの斜視図である。
【符号の説明】
３                    遊技盤
５                    ガラス扉枠
６                    第一供給皿（球供給皿）
１１                  余剰球受皿
１２，１２Ａ          操作ハンドル
１８                  可変表示装置
２７ａ〜２７ｃ        回転ドラム
３６                  球払出装置
８４                  球送り装置
１１６                第二供給皿（改造用球供給皿）
１１８                スタートスイッチ（始動操作部）
１１９ａ〜１１９ｃ    ストップスイッチ（停止操作部）
１２０                賭数設定操作部（球回収機構）
１２０ａ              マックスベットスイッチ（賭数設定操作部）
１２０ｂ              ベットスイッチ（賭数設定操作部）
１２５                球切装置（球回収機構）
１３４                球数確認センサ（球回収機構）
１３６                飾り板
１４０                扉枠
１４５                スライダー（補助手段）
【図１】
0004303953.tif 000002
【図２】
0004303953.tif 000003
【図３】
0004303953.tif 000004
【図４】
0004303953.tif 000005
【図５】
0004303953.tif 000006
【図６】
0004303953.tif 000007
【図７】
0004303953.tif 000008
【図８】
0004303953.tif 000009
【図９】
0004303953.tif 000010
【図１０】
0004303953.tif 000011
【図１１】
0004303953.tif 000012
【図１２】
0004303953.tif 000013
【図１３】
0004303953.tif 000014
【図１４】
0004303953.tif 000015
【図１５】
0004303953.tif 000016
【図１６】
0004303953.tif 000017
【図１７】
0004303953.tif 000018
【図１８】
0004303953.tif 000019
【図１９】
0004303953.tif 000020
【図２０】
0004303953.tif 000021
【図２１】
0004303953.tif 000022
【図２２】
0004303953.tif 000023
【図２３】
0004303953.tif 000024
【図２４】
0004303953.tif 000025
【図２５】
0004303953.tif 000026